(57)【要約】【課題】簡単な構造で計量操作が容易であり、先端部を押すことにより確実に定量を注出することができる定量注出容器を提供する。【解決手段】容器本体１２の取出口１４の内周面に取り付けられ取出口１４を塞ぐ仕切壁部２４と、仕切壁部２４に形成された注入口２６と注入口２６の中心に設けられ容器本体１２の外側に延出する第一支持軸３０が設けられた中栓受け部１８を有する。容器本体１２の取出口１４の外周面に取り付けられこの取出口１４に連通する計量部４０と、計量部４０に形成された注出口４２を有する中栓カップ３２を備える。中栓受け部１８の注入口２６を外側から閉鎖する注入弁６０と、計量部４０の注出口４２を内側から閉鎖する注出弁６２を有する。中栓受け部１８の第一支持軸３０に摺動可能に嵌合された第二支持軸５６を有した中栓部材４４と、中栓部材４４を容器本体１２の外側方向に付勢するスプリング６６を備える。【選択図】図１
2008062977.tif 000002
【特許請求の範囲】
【請求項１】
一端部に取出口が形成された容器本体と、前記容器本体の取出口の内周面に取り付けられこの取出口を塞ぐ仕切壁部と前記仕切壁部に形成された注入口と前記注入口の中心に設けられ前記容器本体の外側に延出する第一支持軸が設けられた中栓受け部と、前記容器本体の取出口の外周面に取り付けられこの取出口に連通する計量部とこの計量部に形成された注出口を有する中栓カップと、前記中栓受け部の前記注入口を外側から閉鎖する注入弁と前記計量部の注出口を内側から閉鎖する注出弁を有し前記中栓受け部の前記第一支持軸に摺動可能に嵌合された第二支持軸が設けられた中栓部材と、前記中栓部材を前記容器本体外側方向に付勢する付勢部材が設けられ、前記中栓部材は前記付勢部材により外側に付勢されて注入弁が開き注出弁が閉じた計量状態となり、前記中栓部材を押圧することにより前記付勢部材が圧縮変形して注入弁が閉じ注出弁が開いた注出状態となり、前記計量状態と前記注出状態を択一的に且つほぼ同時に切り替え可能に設けられていることを特徴とする定量注出容器。
【請求項２】
前記中栓部材は、前記第二支持軸が前記注出弁の上方に延出し前記中栓カップの注出口に僅かなゆとりを有して外側に突出し上端に形成された押圧板と、前記押圧板の上面に形成された押圧操作部と、前記押圧板の下面に形成され前記押圧板の周縁部に連通する横溝と、前記横溝に連通し前記第二支持軸の側面に形成され前記中栓カップの注出口の径より内周に入り込んだ縦溝が設けられ、互いに連通する前記横溝と前記縦溝は、前記押圧板の周縁部の互いに対向する２箇所に配置され、一方が前記容器本体に収容された収容物の取出口となり、他方が通気部となることを特徴とする請求項１記載の定量注出容器。
【請求項３】
前記中栓部材は、前記注出弁の上面に設けられ前記中栓カップの注出口に僅かなゆとりを有して挿通されて外側に突出した押圧操作部と、前記押圧操作部の側面に形成され前記中栓カップの注出口の径より内周に入り込んだ縦溝が設けられ、前記押圧操作部の先端の外周部分が面取りまたはＲ付けされていることを特徴とする請求項１記載の定量注出容器。
【請求項４】
前記定量注出容器の容器本体を倒立させた状態で保持するスタンドが設けられ、前記スタンドには、前記中栓カップを上下方向に摺動可能に保持する保持部と、前記中栓本体が当接する底部と、前記中栓カップの注出口に対向する取出口と、前記保持部を保持して立設する脚部が設けられ、前記定量注出容器を前記スタンドに保持しているときは計量状態となり、前記容器本体を上から押すと前記中栓本体が押し込まれて注出状態となることを特徴とする請求項１記載の定量注出容器。
【請求項５】
前記中栓部材の前記注出弁には、前記中栓カップの前記計量部の注出口と接触する部分に柔軟な弾性体が設けられていることを特徴とする請求項１記載の定量注出容器。
【発明の詳細な説明】
【技術分野】
【０００１】
この発明は、液体の医薬品や化粧品、食品その他の流動性材料を収容し、収容物を注出可能な定量注出容器に関する。
【背景技術】
【０００２】
従来、液体の医薬品や化粧品、食品その他の流動性材料を収容する定量注出容器がある。この定量注出容器は、一回の使用量を計量して一定化するものであり、例えば上端に筒状の取出口を有する容器本体と、この取出口に密着して取り付けられた計量部材と、計量部材の内側に設けられ一定ストロークで移動する弁部材が取り付けられている。計量部材には、容器本体に連通する注入口と、外部に連通する注出口が設けられ、弁部材は注入口と注出口を選択的に密閉するものである。
【０００３】
また、特許文献１〜３に開示されているように、一定量を計量して薬剤等を塗布する計量式塗布容器も提案されている。
【特許文献１】特開２００２−１９３３０２号公報
【特許文献２】特開２００２−２２５９０５号公報
【特許文献３】特開２００６−１２３９１６号公報
【発明の開示】
【発明が解決しようとする課題】
【０００４】
上記従来の技術の場合、いずれも計量部分及び弁部分の構造が複雑であり、部品の組立工数が多く、製造効率が良くなくコストも掛かるものであった。
【０００５】
この発明は、上記従来の技術の問題点に鑑みてなされたものであり、簡単な構造で計量操作が容易であり、先端部を押すことにより確実に定量を注出することができる定量注出容器を提供することを目的とする。
【課題を解決するための手段】
【０００６】
本発明は、一端部に取出口が形成された容器本体と、前記容器本体の取出口の内周面に取り付けられこの取出口を塞ぐ仕切壁部と前記仕切壁部に形成された注入口と前記注入口の中心に設けられ前記容器本体の外側に延出する第一支持軸が設けられた中栓受け部と、前記容器本体の取出口の外周面に取り付けられこの取出口に連通する計量部とこの計量部に形成された注出口を有する中栓カップと、前記中栓受け部の前記注入口を外側から閉鎖する注入弁と前記計量部の注出口を内側から閉鎖する注出弁を有し前記中栓受け部の前記第一支持軸に摺動可能に嵌合された第二支持軸が設けられた中栓部材と、前記中栓部材を前記容器本体外側方向に付勢する付勢部材が設けられている定量注出容器である。前記中栓部材は前記付勢部材により外側に付勢されて注入弁が開き注出弁が閉じた計量状態となり、前記中栓部材を押圧することにより前記付勢部材が圧縮変形して注入弁が閉じ注出弁が開いた注出状態となり、前記計量状態と前記注出状態を択一的に且つほぼ同時に切り替え可能に設けられている。
【０００７】
また、前記中栓部材は、前記第二支持軸が前記注出弁の上方に延出し前記中栓カップの注出口に僅かなゆとりを有して外側に突出し上端に形成された押圧板と、前記押圧板の上面に形成された押圧操作部と、前記押圧板の下面に形成され前記押圧板の周縁部に連通する横溝と、前記横溝に連通し前記第二支持軸の側面に形成され前記中栓カップの注出口の径より内周に入り込んだ縦溝が設けられている。互いに連通する前記横溝と前記縦溝は、前記押圧板の周縁部の互いに対向する２箇所に配置され、一方が前記容器本体に収容された収容物の取出口となり、他方が通気部となる。
【０００８】
また、前記中栓部材は、前記注出弁の上面に設けられ前記中栓カップの注出口に僅かなゆとりを有して挿通されて外側に突出した押圧操作部と、前記押圧操作部の側面に形成され前記中栓カップの注出口の径より内周に入り込んだ縦溝が設けられている。前記押圧操作部の先端の外周部分は、面取りまたはＲ付けされている。
【０００９】
また、前記定量注出容器の容器本体を倒立させた状態で保持するスタンドが設けられ、前記スタンドには、前記中栓カップを上下方向に摺動可能に保持する保持部と、前記中栓本体が当接する底部と、前記中栓カップの注出口に対向する取出口と、前記保持部を保持して立設する脚部が設けられている。前記定量注出容器を前記スタンドに保持しているときは計量状態となり、前記容器本体を上から押すと前記中栓本体が押し込まれて注出状態となる。
【００１０】
また、前記中栓部材の前記注出弁には、前記中栓カップの前記計量部の注出口と接触する部分に柔軟な弾性体が設けられている。この弾性体は、例えばＯリングである。
【発明の効果】
【００１１】
本発明の定量注出容器は、簡単な構造で計量操作が容易であり、収容物を正確に計量して確実に取り出すことができる。
【発明を実施するための最良の形態】
【００１２】
以下、この発明の実施形態について図面に基づいて説明する。図１〜図４はこの発明の第一実施形態を示すもので、この実施形態の定量注出容器１０は、有底筒状の容器本体１２を有し、容器本体１２は比較的硬い不透明な合成樹脂で作られている。容器本体１２の上端部には、径が小さい円筒状の取出口１４が一体に形成され、取出口１４の外側面には、雄ネジ１６が形成されている。
【００１３】
取出口１４の内周面には、不透明な合成樹脂で作られた中栓受け部１８が嵌合されて取り付けられている。中栓受け部１８には、取出口１４の内側に嵌合される円筒状の取付部２０が設けられ、取付部２０の外周面の途中には、取出口１４の上端部に当接するフランジ部２２が一周して一体に形成されている。
【００１４】
中栓受け部１８には、取付部２０のフランジ部２２の位置の内周面に、取付部２０の内側に延出し中栓受け部１８内を仕切る仕切壁部２４が一体に形成されている。仕切壁部２４は、中心に近づくにつれて容器本体１２側へ向かう傾斜が設けられている。仕切壁部２４の中心には、透孔である注入口２６が形成され、注入口２６の内周面は、容器本体１２側とは反対側の角部が、後述する中栓部材４４が容易に嵌合密着するように角が傾斜面で面取りされている。仕切壁部２４には、注入口２６の中心を通る半径方向に板状の連結部２８が設けられている。連結部２８は、仕切壁部２４よりも容器本体１２内側に延出し、取付部２０の下端部付近に達する細長いコの字形に形成されている。連結部２８のコの字形の底部分中心には、円筒形の第一支持軸３０が一体に設けられている。第一支持軸３０は、取付部２０の挿通方向に対してほぼ平行に、容器本体１２と反対側へ向かって設けられ、第一支持軸３０の先端は仕切壁部２４の注入口２６を通過して取付部２０よりも僅かに上方に達している。
【００１５】
取出口１４の外周面には、合成樹脂で作られた中栓カップ３２が取り付けられている。中栓カップ３２には、取出口１４の外側を覆う円筒状の側面部３４が設けられ、側面部３４の内周面には取出口１４の雄ネジ１６に螺合される雌ねじ３６が形成されている。側面部３４の上端部には、フランジ部２２を押さえるために径が細くなる段部３８が一周して設けられ、段部３８に連続して円筒状の計量部４０が形成されている。計量部４０は、円筒形の側面４０ａと側面４０ａの上端を閉鎖する上面４０ｂが設けられ、上面４０ｂの中心には、後述する中栓部材４４が挿通される注出口４２が形成されている。なお、中栓カップ３２は、計量部４０の中の収容物が視認可能な、透明な樹脂で形成されている。
【００１６】
計量部４０の注出口４２には、中栓部材４４が挿通している。中栓部材４４は、中栓カップ３２の外側に位置し中栓カップ３２の計量部４０上面４０ｂに対してほぼ平行な円形の押圧操作部である押圧板４６を有し、押圧板４６の上面４６ａには、押圧板４６の円周に沿う略Ｕ字形の操作用突起４８が一体に設けられている。押圧板４６の下面４６ｂ中心には、押圧板４６に対して略直角に容器本体１２へ向かって延出する円柱形の第二支持軸５６が設けられている。
【００１７】
押圧板４６の下面４６ｂには、溝部５０が設けられている。溝部５０は、操作用突起４８のＵ字形の中心部分と途切れた部分の２箇所に設けられ、押圧板４６の半径方向に沿って周縁部に連通して形成された横溝５０ａと、横溝５０ａに連通し第二支持軸５６の側面を第二支持軸５６の長手方向に沿って中栓カップ３２の内側に向かって形成された縦溝５０ｂが設けられている。押圧板４６の、操作用突起４８のＵ字形の中心部分に対向する周縁部には、半径方向に突出するコの字形の取出口５２が横溝５０ａに連通して設けられている。ここで、取出口５２は、容器本体１２に収容されている収容物である薬液が注出されるところであり、他の操作用突起４８の途切れた部分の横溝５０ａは、薬液が注出されるときに空気が流入する通気部５４となる。  第二支持軸５６の下端は、中栓受け部１８の第一支持軸３０の途中に達し、第二支持軸５６の内側には第一支持軸３０が摺動可能に嵌合される円筒形の収容空間５８が同心円筒状に設けられている。第二支持軸５６の下端の側周面には、中栓受け部１８の仕切壁部２４の注入口２６を閉鎖する円板状の注入弁６０が設けられている。注入弁６０の、押圧板４６と反対側の下面６０ａには、注入弁６０の周縁部に沿って、下面６０ａからほぼ直角に立ち上がる側壁６０ｂが一周して設けられその内側が凹部となっている。
【００１８】
第二支持軸５６の途中には、中栓カップ３２の計量部４０に形成された注出口４２を閉鎖する円板状の注出弁６２が設けられている。注出弁６２の側周面にはＯリング溝６２ａが一周して形成され、Ｏリング６４が取り付けられている。側周面のＯリング溝６２ａは、Ｏリング６４よりも容器本体１２側の部分が注出口４２よりも少し大きい円形で形成され、注出口４２の計量部４０内側の周縁部に当接し、注出弁６２が外側へ突出することがないようにしている。
【００１９】
中栓受け部１８の第一支持軸３０の周囲には、スプリング６６が設けられている。スプリング６６は、金属製の圧縮コイルバネである。スプリング６６の一端部は、中栓部材４４の注入弁６０下面６０ａに当接し、他方の端部は中栓受け部１８のコ字型の連結部２８の底部に当接している。なお、中栓受け部１８の外側には、図示しないキャップが着脱可能に設けられ中栓部材４４を覆ってもよい。
【００２０】
次に、この実施形態の定量注出容器１０の使用方法について説明する。中栓受け部１８の第一支持軸３０にスプリング６６を入れ、中栓カップ３２を被せて係合させる。そしてあらかじめＯリング６４をセットした中栓部材４４を注入口４２から圧入して中栓を組み立てる。次に、うがい薬等の薬液を収容した容器本体１２の取出口１４の雄ネジ１６に、組み立てた中栓カップ３２を螺合して取り付ける。このとき、中栓部材４４はスプリング６６に押し上げられ、中栓部材４４の注出弁６２が中栓カップ３２の計量部４０注出口４２に当接し、Oリング６４が注出口４２の内周面に密着して閉鎖し液漏れを防ぐ。なお、この状態で、中栓部材４４の注入弁６０は、中栓受け部１８の注入口２６から離れて位置し、容器本体１２内と計量部４０内が連通する計量状態にある。
【００２１】
容器本体１２から収容物である薬液を取り出して使用するときは、まず容器本体１２を逆さまにする。すると、容器本体１２内の薬液が中栓受け部１８の注入口２６を通過して計量部４０に流れ込んで満たされる。そして薬液を取り出して入れる所望の器に、中栓部材４４の取出口５２が向くように保持し、中栓部材４４の操作用突起４８を押し下げてスプリング６６を弾性変形させ、中栓部材４４の注入弁６０を中栓受け部１８の注入口２６に密着して閉鎖する。このとき、中栓部材４４の押圧板４６は、中栓カップ３２の注出口４２に当接するが、押圧板４６の下面４６ｂには溝部５０が設けられているため、取出口５２と通気部５４が確保され、注出状態となる。そして、計量部４０内に計量された薬液が、取出口５２から注出され、所望の器に取り出される。このとき、注入弁６０は注入口２６に当接し閉鎖しているため、容器本体１２内の薬液が余分に注出されることがない。使用後は、容器本体１２を元の向きに戻し、保管する。
【００２２】
この実施形態の定量注出容器１０は、簡単な構造と簡単な操作で、確実に一定量の薬液を計量して注出し、正確に使用することができる。計量操作は、容器本体１２を逆さまにして中栓部材４４の押圧板４６を押す簡単な操作で、正確に計量した薬液を取り出すことができ、器に直接取り出すことができ、手軽に短時間で一定量を取り出すことができる。計量した薬液の量が注出操作中に変化することが無く、正確に計量することができる。また、薬液を取り出すときは中栓部材４４の押圧板４６を押すとほぼ同時に注出するため、使い方が分かりやすく、誰にでも簡単に操作することができる。中栓部材４４はスプリング６６により常に注出弁６２が閉じた状態を保持しているので、キャップを閉めなくても注出することが無く、確実に閉鎖される。押圧板４６には、操作用突起４８が設けられているため、容器本体１２を持ったまま指で押圧板４６を押すだけで簡単に操作することができる。また、取出口５２が外周方向に突出しており、この方向に向かって薬液が注出されるので、薬液が押圧板４６に付着することが無く衛生的であり、また、注出する方向が分かりやすく使用しやすい。取出口５２と通気部５４が対向しているので、容器本体１２を傾けたときに高低差による差圧が発生して効率よく注出できる。注出弁６２にはＯリング６４が設けられているため、注出弁６２の摺動抵抗を小さくし、かつ確実な密閉性を得ることができるため、キャップが不要となる。キャップの着脱が不要になると、操作も容易になる。中栓部材４４を突出方向に付勢したスプリング６６は、不透明な中栓受け部１８内に位置し、第一支持軸３０に挿通されているので、外部から見えにくく、外観がきれいである。
【００２３】
次にこの発明の第二実施形態について図５〜図７に基づいて説明する。なお、ここで、上記実施形態と同様の部材は同一の符号を付して説明を省略する。図５〜図７はこの発明の第二実施形態を示すもので、この実施形態の定量注出容器６８は、有底筒状の容器本体１２を有し、容器本体１２の上端部には、取出口１４が一体に形成され、取出口１４の外側面には雄ネジ１６が形成されている。雄ネジ１６の上方には、取出口１４周縁部に沿って後述する中栓カップ７２が係止される凹部６９が一周して設けられている。
【００２４】
取出口１４の内周面には、合成樹脂で作られた中栓受け部７０が嵌合されて取り付けられている。中栓受け部７０には、取出口１４の内側に嵌合される取付部２０が設けられ、取付部２０の外周面の途中にはフランジ部２２が一周して一体に形成されている。取付部２０の、フランジ部２２の位置の内周面には、仕切壁部２４が形成され、仕切壁部２４の中心には注入口２６が形成されている。注入口２６の内周面には、容器本体１２と反対側の約半分の幅に、後述する中栓部材８６の第二支持軸８８が密着する段部２７が一周して形成されている。切壁部２４には、注入口２６の中心を通る連結部２８が設けられ、連結部２８には、円筒形の第一支持軸３０が一体に設けられている。
【００２５】
取出口１４の外周面には、合成樹脂で作られた透明な中栓カップ７２が取り付けられている。中栓カップ７２には、取出口１４の上部分の外側を覆う円筒状の側面部７４が設けられ、側面部７４の内周面には、取出口１４外周の凹部６９に嵌合される凸部７６が一周して設けられている。側面部７４の上端部には、フランジ部２２をおさえるための径が細くなる段部７８が一周して設けられ、段部７８に連続して円筒状の計量部８０が形成されている。計量部８０は、円筒形の側面８０ａと側面８０ａの上端を閉鎖する上面８０ｂが設けられ、上面８０ｂの中心には、後述する中栓部材８６が挿通される注出口８２が形成されている。注出口８２の周縁部には、計量部８０の外側へ突出する短い円筒状の立上り部８４が一周して設けられ、立上り部８４の内周面中央部には、内側に環状に張り出した突縁８５が一周して設けられている。
【００２６】
中栓カップ７２の内側には、中栓部材８６が設けられている。中栓部材８６には、円柱形の第二支持軸８８が設けられ、第二支持軸８８の下端は中栓受け部７０の第一支持軸３０の途中に達し、第一支持軸３０が摺動可能に嵌合される円筒形の収容空間９０が同心円筒状に設けられている。第二支持軸８８の下面８８ａは、仕切壁部２４の注入口２６に形成された段部２７に密着する形状である。
【００２７】
第二支持軸８８の上面８８ｂは、立上り部８４下端の内周面に摺接可能に嵌合され突縁部８５に当接し、外側へ突出することがない。また、上面８６ａには操作用突起９１が形成されている。操作用突起９１は突縁部８５を通過して外側に突出し、２等辺三角形状の２枚の板が頂点から底辺に達する中心線同士を交差して互いに９０°に合体させた形状である。２枚の板で形成される空間は、操作用突起９１の突出方向に沿う縦溝９２となる。
【００２８】
中栓受け部７０の第一支持軸３０の周囲には、スプリング９３が設けられている。スプリング９３の一端部は中栓部材８６の第二支持軸８８の下面８８ａに当接し、他方の端部は中栓受け部７０の連結部２８の底面に当接している。
【００２９】
また、容器本体１２の取出口１４には、図５に示すキャップ９４が着脱可能に設けられている。キャップ９４は、容器本体１２の取出口１４基端部付近から中栓カップ７２と中栓部材８６を覆う円筒形の側面９４ａを有し、側面９４ａの上端部には、円形の上面部９４ｂが設けられている。キャップ９４の上面部９４ｂ内側には、中栓カップ７２の立上り部８４の突縁部８５に密着して当接する円筒形の当接部９６が設けられている。当接部９６の少し外側には容器本体１２の取出口１４を包む円筒形の取付部９８が設けられ、取付部９８の内周面には、雄ネジ１６に螺合する雌ネジ１００が形成されている。キャップ９４は、容器本体１２の取出口１４に螺合して取り付けられたとき、当接部９６が中栓カップ７２の立上り部８４の突縁部８５に当接し、確実に密封される。
【００３０】
次に、この実施形態の定量注出容器６８の使用方法について説明する。容器本体１２にうがい薬等の薬液を収容し、容器本体１２の取出口１４に、中栓受け部７０、スプリング９３、中栓部材８６、中栓カップ７２を取り付ける。さらに、容器本体１２の取出口１４に、キャップ９４を取り付ける。このとき、中栓部材８６はスプリング９３に押し上げられて中栓部材８６の第二支持軸８８上面８８ｂが中栓カップ７２の注出口８２の突縁部８５に当接し、注出口８２に密着して閉鎖している。また第二支持軸８８下面８８ａは中栓受け部７０の注入口２６段部２７から離れ、中栓受け部７０の計量部８０と、容器本体１２が連通した計量状態である。
【００３１】
次に、キャップ９４を外し、図６に示すように容器本体１２を逆さまにすると、容器本体１２内の薬液が計量部８０に流れ込んで満たされる。そして容器本体１２内の薬液を取り出して入れる所望の器１０２に中栓部材８６を差し込み、器１０２の内壁に中栓部材８６の操作用突起９０を押し付ける。すると、押圧力でスプリング９３が圧縮され、中栓部材８６の第二支持軸８８上面８８ｂが中栓カップ７２計量部８０から離れて注出口８２が開口し、注出状態となる。このとき、中栓部材８６の第二支持軸８８下面８８ａが中栓カップ７２仕切壁部２４に密着して注入口２６を閉鎖する。そして計量部４０内に計量された薬液が、中栓部材８６注出口８２から注出され、操作用突起９０の縦溝９２を通過して器１０２に取り出される。このとき、中栓部材８６は注入口２６を閉鎖しているため、容器本体１２内の薬液が余分に注出されることがない。使用後は、容器本体１２を元の向きに戻し、キャップ９４を取り付けて保管する。
【００３２】
この実施形態の定量注出容器６８は、簡単な構造と簡単な操作で、確実に一定量の薬液を計量して注出し、正確に使用することができる。計量操作は、器１０２に操作用突起９０を押し付ける簡単な操作で、計量と注出を行い、手軽に短時間で一定量を取り出すことができる。薬液の注出操作を手で行う必要が無く、手に薬液が付いたり、手についた雑菌が薬液に入ったりする恐れがなく、衛生的である。中栓部材８６が中栓カップ７２内を摺動する際は、操作用突起９１が注出口８２の立上り部８４に接触してガイドされるため、円滑な弁の切り替え動作が可能となる。また、中栓部材８６を押し込むと複数の縦溝９２から操作用突起９１先端に向かってスムーズに薬液が注出される。さらに、操作用突起９１の先端の外周部分を面取り又はＲ付けすることで、先端部をコップなどの器１０２の側壁に向かって斜めに押さえてもスムーズに中栓部材８６が押し込まれ、容易に定量注出することができる。注出口８２は、キャップ８４を閉めた状態で、当接部９６が立上り部８４と突縁部８５に密着するので、スプリング９３は上記実施形態の構造と比較して弱いものとすることができ、軽い力で中栓部材８６が押し込まれ操作性も良い。
【００３３】
次に、この発明の第三実施形態について図８〜図１１に基づいて説明する。ここで、上記実施の形態と同様の部材は同様の符号を付して説明を省略する。この実施形態の定量注出容器１０４は、有底筒状の容器本体１２を有し、容器本体１２は水平方向断面が楕円形の円筒形であり、上方に底部１２ａが位置し、下方に径が小さい円筒状の取出口１４が下方に突出して形成され、取出口１４の外側面には、雄ネジ１６が形成されている。
【００３４】
取出口１４の内周面には、合成樹脂で作られた中栓受け部１０５が嵌合されて取り付けられている。中栓受け部１０５には、取出口１４の内側に嵌合される取付部２０が設けられ、取付部２０の外周面の途中にはフランジ部２２が一周して一体に形成されている。取付部２０の、フランジ部２２の位置の内周面には、仕切壁部２４が形成され、仕切壁部２４の中心には注入口２６が形成されている。注入口２６の内周面には、容器本体１２と反対側の約半分の幅に、後述する中栓部材１１６の第二支持軸１２８が密着する段部２７が一周して形成されている。仕壁部２４には、注入口２６の中心を通る連結部２８が設けられ、連結部２８には、円筒形の第一支持軸３０が一体に設けられている。
【００３５】
取出口１４の外周面には、合成樹脂で作られた中栓カップ１０６が取り付けられている。中栓カップ１０６には、取出口１４の外側を覆う側面部１０８が設けられ、側面部１０８の内周面には取出口１４の雄ネジ１６に螺合される雌ネジ１１０が設けられている。側面部１０８の上端部には、円筒状の計量部１１２が形成されている。計量部１１２は、円筒形の側面と、側面の上端を閉鎖する上面が設けられ、上面の中心には、後述する中栓部材１１６が挿通される注出口１１４が形成されている。
【００３６】
中栓カップ１０６の内側には、中栓部材１１６が設けられている。中栓部材１１６には、中栓カップ１０６の計量部１１２に形成された注出口１１４を閉鎖する円板状の注出弁１１８が設けられている。注出弁１１８の側周面１１８ａには、Ｏリング１２０が取り付けられている。側周面１１８ａは、Ｏリング１２０よりも容器本体１２側の部分が、注出口１１４より少し大きい円形で形成され、注出口１１４の計量部１１２内側の周縁部に当接し、外側へ突出することがない。
【００３７】
注出弁１１８の容器本体１２側の面１１８ａ中心には、注出弁１１８に対して略直角に容器本体１２へ向かって延出する円柱形の第二支持軸１２２が設けられている。第二支持軸１２２の上端は、中栓受け部１０５の第一支持軸３０の途中に達し、第一支持軸３０が摺動可能に嵌合される円筒形の収容空間１２４が同心円筒状に設けられている。第二支持軸１２２の上端には、中栓受け部１０５の仕切壁部２４の注入口２６を閉鎖する円板状の注入弁１２６が設けられている。注入弁１２６は、第二支持軸１２２と反対側の上面１２６ａに、注入弁１２６の周縁部に沿って、上面１２６ａからほぼ直角に立ち上がる突縁１２６ｂが一周して設けられている。注出弁１１８の下面１１８ｂには、操作用突起１２８が形成され、操作用突起１２８は中栓カップ１０６の注出口１１４を通過して外側に突出し、矩形の２枚の板の中心線同士を交差させて互いに９０°に合体させた形状である。２枚の板で形成される空間は、操作用突起１２８の突出方向に沿う縦溝１２９となる。
【００３８】
中栓受け部１０５の第一支持軸３０の周囲には、スプリング１３０が設けられている。スプリング１３０の一端部は、中栓部材１１６の注入弁１２６上面１２６ａに当接し、他方の端部は中栓受け部１０５の連結部２８に当接している。
【００３９】
また、中栓カップ１０６と中栓部材１１６の外側には、スタンド１３２が設けられている。スタンド１３２は、容器本体１２を取出口１４が下を向く状態で中栓カップ１０６の側面部１０８を上下方向に摺動可能に保持する保持部１３４が設けられ、保持部１３４は円筒形の側面１３４ａと、側面１３４ａの下端部に連続するテーパ状の底部１３４ｂと、底部１３４ｂ中心に形成され下方に延出し開口する円筒状の取出口１３４ｃが設けられている。
【００４０】
スタンド１３２の保持部１３４には、略コの字形の脚部１３６が一体に設けられている。脚部１３６は、円形の一方向両側を接線方向に切り取った形状の上面１３６ａと、上面１３６ａの円周部分に連続して下方に延出する一対の側面１３６ｂが一体に設けられ、上面１３６ａの中心に、保持部１３４が設けられている。保持部１３４は、側面１３４ａと底部１３４ｂの境界にスタンド１３２上面１３６aが連続している。容器本体１２を、スタンド１３２に立てたとき、操作用突起１２８が底部１３４ｂに当接する。
【００４１】
次に、この実施形態の使用方法について説明する。容器本体１２にうがい薬等の薬液を入れ、容器本体１２の取出口１４に、中栓受け部１０５、スプリング１３０、中栓部材１１６、中栓カップ１０６を取り付ける。さらに容器本体１２を、スタンド１３２に倒立させて載せる。このとき、図９（ａ）に示すように、中栓部材１１６はスプリング１３０に押し出されて中栓部材１１６の注出弁１１８が中栓カップ１０６の注出口１１４周縁部に当接し、Oリング１２０が注出口１１４の内周面に密着して閉鎖し、液漏れを防ぐ。また、注入弁１２６は中栓受け部１０５の注入口２６段部２７から離れ、中栓受け部１０５の計量部１１２と、容器本体１２が連通する計量状態である。そして容器本体１２内の薬液が計量部１１２に流れ込んで満たされる。
【００４２】
次に、薬液を取り出すときは、図９（ｂ）に示すように、容器本体１２を下方に押し下げて中栓部材１１６を押し込み、スプリング１３０が圧縮され、中栓本体１１６の注出弁１１８が中栓カップ１０６計量質１１２から離れて注出口１１４が開口し、注出状態となる。このとき、中栓部材１１６の注入弁１２６が中栓受け部１０５の注入口２６に密着して閉鎖する。そして計量部１１２内に計量された薬液が、中栓部材１１６注出口１１４から注出され、操作用突起１２８の縦溝１２９を通過して取り出される。そして取り出された薬液は、スタンド１３２の保持部１３４取出口１３４ｃを通過して、スタンド１３２の下へ落下する。ここに所望の器を置き、取り出された薬液を受ける。
【００４３】
使用後は、容器本体１２の押し下げる力を解除する。これにより、スプリング１３０の弾性力により持ち上がり、注出口１１４は閉鎖され、注入弁１２６は開口されて次に使用される薬液が計量される。
【００４４】
この実施形態の定量注出容器１０４は、簡単な構造と簡単な操作で、確実に一定量の薬液を計量して注出し、正確に使用することができる。スタンド１３２により常に次に使用する薬液が計量部１１２内に計量され、使用するときは容器本体１２を押し下げるだけの簡単な操作で、一定量の薬液を取り出すことができる。薬液を取り出すときに容器本体１２を持ち上げたり傾けたりする必要が無く、片手で簡単に定量注出することができる。容器本体１２が倒立した状態で保持されているので、チューブで吸い上げるポンプ構造のように底部に液が残ることが無く、最後まできれいに使い切ることができる。注出弁１１８にＯリング１２０が取り付けられているため、容器本体１２が倒立した状態でも確実に密閉され、液漏れを防ぐ。
【００４５】
なお、この発明の定量注出容器は、上記実施の形態に限定されるものではなく、素材や形状、各部材の形状等も、自由に変更可能である。また、用途は薬品や化粧品、その他液体を収容して一定量を取り出すものであればよく、上記実施形態には限定されない。
【図面の簡単な説明】
【００４６】
【図１】この発明の第一実施形態の定量注出容器の縦断面図である。
【図２】この実施形態の定量注出容器の計量状態を示す縦断面図（ａ）と注出状態を示す縦断面図（ｂ）である。
【図３】この実施形態の定量注出容器の平面図である。
【図４】この実施形態の定量注出容器の斜視図である。
【図５】この発明の第二実施形態の定量注出容器の縦断面図である。
【図６】この実施形態の定量注出容器の注出状態を示す断面図である。
【図７】この実施形態の定量注出容器の斜視図である。
【図８】この発明の第三実施形態の定量注出容器の部分破断斜視図である。
【図９】この実施形態の定量注出容器の計量状態を示す縦断面図（ａ）と注出状態を示す縦断面図（ｂ）である。
【図１０】この実施形態の定量注出容器の平面図である。
【符号の説明】
【００４７】
１０  定量注出容器
１２  容器本体
１４  取出口
１８  中栓受け部
２４  仕切壁部
２６  注入口
３０  第一支持軸
３２  中栓カップ
４０  計量部
４２  注出口
４４  中栓部材
４６  押圧板
４８  操作用突起
５６  第二支持軸
６０  注入弁
６２  注出弁
６４  Ｏリング
６６  スプリング
【図１】
2008062977.tif 000003
【図２】
2008062977.tif 000004
【図３】
2008062977.tif 000005
【図４】
2008062977.tif 000006
【図５】
2008062977.tif 000007
【図６】
2008062977.tif 000008
【図７】
2008062977.tif 000009
【図８】
2008062977.tif 000010
【図９】
2008062977.tif 000011
【図１０】
2008062977.tif 000012